(57)【要約】      （修正有）【課題】クッション機能の発揮を要望しない場合でも、クッションを取り外す必要がない保護具を提供する。【解決手段】膨張可能な膨張部１０２と、膨張部１０２を支持する支持部１０４とを備えたクッションであって、膨張部１０２の端部と支持部１０４とが接合した接合部分を有する。また、膨張部１０２の膨張に伴って膨張部１０２の端部とは異なる他の端部がせり上がるように構成される。支持部１０４は、支持部１０４を衣服に係止する係止部を有し、係止部は切れ込みと弾性体とを含み得る。【選択図】図１
2012120552.tif 000002
【特許請求の範囲】
【請求項１】
膨張可能な膨張部と、
前記膨張部を支持する支持部と
を備えたクッションであって、
前記膨張部の端部と前記支持部とが接合した接合部分を有する、クッション。
【請求項２】
前記膨張部の膨張に伴って前記膨張部の前記端部とは異なる他の端部がせり上がるように構成される、請求項１に記載のクッション。
【請求項３】
前記接合部分は前記支持部の方に凸状に膨らんでいる、請求項１又は請求項２に記載のクッション。
【請求項４】
前記支持部は、前記支持部を衣服に係止する係止部を有し、
前記係止部は切れ込みと弾性体とを含む、請求項１から請求項３のうちの一項に記載のクッション。
【請求項５】
前記膨張部は、衣服の襟に内蔵されている、請求項１から請求項３のうちの一項に記載のクッション。
【発明の詳細な説明】
【技術分野】
【０００１】
本発明は、膨張可能な膨張部と、膨張部を支持する支持部とを備えたクッションに関するものである。
【背景技術】
【０００２】
乳幼児の身体の発達は、生後６カ月〜１年半の間に、寝返りからつかまり立ち、更に二足歩行へ移行する。この時期は乳幼児の身体のバランスが不安定で、後方への転倒が非常に多い。後頭部の打撲が頻発し、嘔吐や意識の混濁なども起こり得る。そこで、転倒してもその衝撃を直接頭に受けない乳幼児用の保護道具が各種発明されている。
【０００３】
例えば、特許文献１には、乳幼児に背負わせる乳幼児用の後頭部保護クッションが開示されている。特許文献１で開示の後頭部保護クッションによれば、乳幼児にクッションを背負わせることで、後方への転倒時に、乳幼児の後頭部を衝撃から守ることができる。また、特許文献２には、乳幼児の側頭部及び後頭部を覆う乳幼児頭部保護具が開示されている。乳幼児頭部保護具は気体密閉袋を有する。気体密閉袋で乳幼児を包み、空気の量を調整することで乳幼児の上半身に乳幼児頭部保護具を固定することができる。特許文献２で開示の乳幼児頭部保護具によれば、転倒時に保護具がずれることなく、乳幼児の後方転倒時の後頭部及び側頭部への衝撃を和らげ、頭部を保護することができる。
【先行技術文献】
【特許文献】
【０００４】
【特許文献１】特開２００２−２０４７３６号公報
【特許文献２】特開２００７−２８４８４８号公報
【発明の概要】
【発明が解決しようとする課題】
【０００５】
しかし、特許文献１及び特許文献２に記載の保護具によれば、クッション機能の発揮を要望しない場合は、保護具を取り外す必要があった。クッション機能の発揮の要否に応じて、乳幼児に保護具を装着したり乳幼児から保護具を取り外したりすることは、保育者には大変煩雑である。
【０００６】
本発明は、膨張可能な膨張部と、膨張部を支持する支持部とを備えたクッションであって、膨張部に覆われた身体の一部を保護するクッションを提供することを目的とする。
【課題を解決するための手段】
【０００７】
上記課題を解決するために、本発明に係るクッションの特徴的な構成は、膨張可能な膨張部と、膨張部を支持する支持部とを備えたクッションであって、
膨張部の端部と支持部とが接合した接合部分を有する。また、本発明に係るクッションの好適な態様によれば、膨張部の膨張に伴って膨張部の端部とは異なる他の端部がせり上がるように構成される。
【０００８】
背景技術の項目で説明したように、従来のクッションによれば、クッション機能の発揮を要望しない場合は、クッションを取り外す必要があった。一方、本発明のクッションによれば、膨張部の端部と支持部とが接合した接合部分を有するため、膨張部が膨張すると膨張部の端部とは異なる他の端部がせり上がり、膨張部が萎むと膨張部の他の端部が垂れ下がる。従って、クッション機能の発揮を要望する場合は、クッションを装着し膨張部を膨張させることによって、接合部分を支点に膨張部の他の端部が身体の一部に向かってせり上がらせ、身体の一部を保護することができる。また、クッション機能の発揮を要望しない場合は、膨張部を萎ませることによって、クッションを装着した者の活動の自由度を向上させることができる。その結果、クッション機能の発揮を要望しない場合でも、クッションを取り外す必要がない。
【０００９】
本発明に係るクッションの好適な態様によれば、接合部分は支持部の方に凸状に膨らんでいる。従って、膨張部が膨張することにより、クッションが装着された身体の一部に沿って支持部が湾曲する。その結果、膨張時に、クッションが装着された身体の一部に対する締め付けを防ぐことができる。
【００１０】
本発明に係るクッションの好適な態様によれば、支持部は、支持部を衣服に係止する係止部を有し、係止部は切り込みと弾性体とを含む。従って、衣服にクッションを直接縫い付けたり、衣服にマジックテープ（登録商標）やスナップ等を取り付けたりすることが不要である。
【００１１】
本発明に係るクッションの好適な態様によれば、膨張部は、衣服の襟に内蔵されている。従って、クッションの常時装着が可能となり、クッションの取り外しが不要である。
【図面の簡単な説明】
【００１２】
【図１】本発明の実施形態１に係るクッションを示す模式図である。
【図２】本発明の実施形態１に係るクッションの膨張手順を示すフローチャートである。
【図３】クッションを有する衣服を着用した人形を示す写真である。
【図４】本発明の実施形態２に係るクッションを示す模式図である。
【図５】本発明の実施形態２に係るクッションの一部を示す写真である。
【図６】本発明の実施例２に係るクッションを衣服に係止する手順を示すフローチャートである。
【発明を実施するための形態】
【００１３】
図１から図６を参照して、本発明のクッション及びクッションの装着手順に係る実施形態を説明する。本発明は、以下に説明する実施形態や図面に記載される構成に限定されることを意図せず、当該構成と均等な構成も含む。
【００１４】
[実施形態１]
図１は、本発明の実施形態１に係るクッション１００を示す模式図である。図１（ａ）は、クッション１００の全体を示す模式図である。図１（ｂ）は、クッション１００を有する衣服Ａを着用した被験者Ｂの背後を示す模式図である。図１（ｃ）は、被験者Ｂの左側を示す模式図である。クッション１００は、膨張可能な膨張部１０２と膨張部１０２を支持する支持部１０４とを備え、被験者Ｂの肩部に装着される。その結果、被験者Ｂの後頭部が膨張部１０２に覆われ、被験者Ｂの後頭部を保護することができる。さらにクッション１００は、膨張部１０２の端部と支持部１０４とが接合した接合部分１０６を有する。
【００１５】
膨張部１０２は、プラスチック袋である。膨張部１０２は、空気入出口１０８を有する。空気入出口１０８から空気を注入したり排出したりする。空気入出口１０８には、逆止弁が付いている。空気を空気入出口１０８から注入することにより、膨張部１０２を膨張させることができる。空気入出口１０８には、逆止弁が付いているため、膨張部１０２から空気が漏れることを防ぎ得る。
【００１６】
支持部１０４は、衣服Ａと膨張部１０２とを支持する。支持部１０４は、クッション１００を装着する身体の一部（被験者Ｂの肩部）に沿って湾曲する。支持部１０４は、厚紙である。
【００１７】
接合部分１０６は支持部１０４の方に凸状に膨らんでいる。従って、膨張部１０２が膨張することにより、クッション１００が装着された身体の一部（被験者Ｂの肩部）に沿って支持部１０４が湾曲する。その結果、膨張時に、クッション１００が装着された身体の一部（被験者Ｂの肩部）に対する締め付けを防ぐことができる。接合部分１０６は、第1端１０６ａと第２端１０６ｂとを有する。接合部分１０６のうち、第1端１０６ａと第２端１０６ｂとの間の部分は支持部１０４の方に凸状に膨らんでいる。
【００１８】
膨張部１０２が膨張することにより、クッション１００と被験者Ｂとの間に空間Ｃが形成される。従って、クッション１００使用時には、被験者Ｂの首部周辺の通気性が良くなり、通気性悪化に伴う被験者Ｂの首部の発疹を予防することができる。なお、膨張部１０２は、支持部１０４と接合した膨張部１０２の端部とは異なる他の端部Ｅ（膨張部１０２の端部Ｅ）を有する。
【００１９】
図２は、本発明の実施形態１に係るクッション１００の膨張手順を示すフローチャートである。図３は、クッション１００を有する衣服Ａを着用した人形を示す写真である。図３（ａ）は膨張部１０２の２５％に空気が注入された状態を示し、図３（ｂ）は膨張部１０２の５０％に空気が注入された状態を示し、図３（ｃ）は膨張部１０２の７５％に空気が注入された状態を示し、図３（ｄ）は膨張部１０２の１００％に空気が注入された状態を示す。以下、図１から図３を参照して、クッションの膨張手順を説明する。
【００２０】
ステップＳ２０２：膨張部１０２の空気を排出する。膨張部１０２に空気が注入されていない状態で、衣服Ａを着用する。衣服Ａを着用したらステップＳ２０４へ進む。
【００２１】
ステップＳ２０４：空気入れを利用して、空気入出口１０８から膨張部１０２に空気を注入する。空気を注入している状態でステップＳ２０６へ進む。
なお、ステップＳ２０４において、空気入出口１０８から膨張部１０２に空気を注入し得る限りは、利用する道具は、空気入れに限らない。例えば、保育者が空気入出口１０８をくわえ、息を吐くことで空気入出口１０８から膨張部１０２に空気を注入し得る。
【００２２】
ステップＳ２０６：膨張部１０２への空気の注入に応じて膨張部１０２が膨張する。膨張部１０２の膨張に伴って、膨張部１０２の端部Ｅが接合部分１０６を支点にせり上がる。膨張部１０２に十分な空気を注入することによって、被験者Ｂの後頭部が転倒に伴う衝撃から守られる。膨張部１０２に空気が十分に注入されたら、ステップは終了する。
【００２３】
以上、図１から図３を参照して、本発明の実施形態１に係るクッション１００を説明した。クッション１００によれば、膨張部１０２の端部と支持部１０４とが接合した接合部分１０６を有するため、膨張部１０２が膨張すると膨張部１０２の端部Ｅがせり上がり、膨張部１０２が萎むと膨張部１０２の端部Ｅが垂れ下がる。従って、クッション機能の発揮を要望する場合は、クッション１００を装着し膨張部１０２を膨張させることによって、接合部分１０６を支点に膨張部１０２の端部Ｅを身体の一部に向かってせり上がらせ、身体の一部を保護することができる。また、クッション機能の発揮を要望しない場合は、膨張部１０２を萎ませることによって、クッション１００を装着した者の活動の自由度を向上させることができる。
【００２４】
[実施形態２]
図４は、本発明の実施形態２に係るクッション４００を示す模式図である。図５は、本発明の実施形態２に係るクッション４００の一部を示す写真である。クッション４００は、膨張可能な膨張部１０２と、接合部分１０６と、空気入出口１０８と、膨張部１０２を支持する支持部４０２とを備える。膨張部１０２、接合部分１０６、及び空気入出口１０８については、実施形態１において説明したクッション１００の構成要素と同様に機能するので、その説明は省略する。
【００２５】
支持部４０２は、衣服Ｄと膨張部１０２とを支持する。支持部４０２は、クッション４００を装着する身体の一部（被験者の肩部）に沿って湾曲する。支持部４０２は、厚紙である。
【００２６】
支持部４０２は、衣服Ｄを支持部４０２に係止するための係止部４０５（第１係止部４０５ａ及び第２係止部４０５ｂ）を備える。係止部４０５は、支持部４０２に形成した円弧状の切れ込み４０４（第１切れ込み４０４ａ及び第２切れ込み４０４ｂ）と衣服Ｄを支持部４０２に把持するための弾性体４０６（第１弾性体４０６ａ及び第２弾性体４０６ｂ）とを含む。弾性体４０６は、例えばゴムである。
【００２７】
第１弾性体４０６ａは、第１切れ込み４０４ａをまたいで支持部４０２に固定されている。同様に、第２弾性体４０６ｂは、第２切れ込み４０４ｂをまたいで支持部４０２に固定されている。
【００２８】
係止部４０５は、切れ込み４０４と弾性体４０６とを一対に組み合わせて、衣服Ｄを把持する。
【００２９】
図６は、本発明の実施形態２に係るクッション４００を衣服Ｄに係止する手順を示すフローチャートである。以下、図４から図６を参照して、クッション４００の係止手順を説明する。なお、ステップＳ２０４及びステップＳ２０６は、図３を参照して説明した実施形態１に係るクッション１００の膨張手順と同様なので、説明を省略する。
【００３０】
ステップＳ６０２：第１切れ込み４０４ａを衣服Ｄと接する側に押し下げる。支持部４０２と第１切れ込み４０４ａとの間に隙間ができる。隙間は、衣服Ｄの一部を挿入できればよく、隙間の大きさは限定しない。隙間ができたらステップＳ６０４へ進む。
【００３１】
ステップＳ６０４：第１切れ込み４０４ａと第１弾性体４０６ａとの間の隙間に衣服Ｄの一部Ｄ１を挿入する。図４（ｂ）及び図５（ｂ）に示すように、衣服Ｄの一部Ｄ１を挿入できたら、ステップＳ６０６へ進む。
【００３２】
ステップＳ６０６：第１切れ込み４０４ａを衣服Ｄの一部Ｄ１で覆う。第１切れ込み４０４ａを衣服Ｄの一部Ｄ１で覆えたら、ステップＳ６０８へ進む。
【００３３】
ステップＳ６０８：衣服の一部Ｄ１で包まれた第１切れ込み４０４ａと支持体４０２との間に第１弾性体４０６ａを挿入する（図４（ｃ）及び図５（ｃ））。第１弾性体４０６ａを挿入したら、第２係止部４０５ｂによって衣服Ｄの一部Ｄ２を係止するために、ステップＳ６０２へ進む。
【００３４】
ステップＳ６０２からステップＳ６０８までを係止部４０５の個数回、繰り返す。図４（ｃ）に示すように、切れ込み４０４と衣服Ｄの一部との間に弾性体４０６を挿入したら、ステップ２０４へ進む。
【００３５】
ステップＳ２０６で、膨張部１０２がせり上がったら、ステップは終了する。なお、クッション４００の係止手順においては、衣服Ｄに支持部４０２を係止できさえすればステップＳ２０４及びステップＳ２０６は必須でない。
【００３６】
以上、図４から図６を参照して、本発明の実施形態２に係るクッション４００を説明した。本発明に係るクッションの好適な態様によれば、支持部は、支持部を衣服に係止する係止部を有し、係止部は切れ込みと弾性体とを含む。従って、衣服にクッションを直接縫い付けたり、衣服にマジックテープ（登録商標）やスナップ等を取り付けたりすることが不要である。
【００３７】
なお、弾性体４０６は、衣服Ｄを把持できさえすれば、ゴムに限定されない。弾性体４０６は、バネであり得る。また、係止部４０５は、衣服Ｄを係止できれば、個数は２つ（第１係止部４０５ａ、第２係止部４０５ｂ）に限定されない。３つ以上であり得る。また、切れ込み４０４の形状は円弧状に限定されない。弾性体４０６との一対の組み合わせで衣服Ｄを把持し得る限りは、多角形形状（例えば三角形状）等その他の形状、円弧状とその他の形状との組み合わせであり得る。
【００３８】
以上、図１から図６を参照して、本発明の実施形態に係るクッションを説明した。本発明に係るクッションによれば、膨張部の端部と支持部とが接合した接合部分を有するため、膨張部が膨張すると膨張部の端部とは異なる他の端部がせり上がり、膨張部が萎むと膨張部の他の端部が垂れ下がる。従って、クッション機能の発揮を要望する場合は、クッションを装着し膨張部を膨張させることによって、接合部分を支点に膨張部の他の端部を身体の一部に向かってせり上がらせ、身体の一部を保護することができる。また、クッション機能の発揮を要望しない場合は、膨張部を萎ませることによって、クッションを装着した者の活動の自由度を向上させることができる。
【００３９】
なお、本発明の実施形態に係るクッションを肩に装着した場合は、膨張部１０２がせり上がることで後頭部を保護し得る。身体の一部を保護し得る限りは、クッションの装着位置は、肩に限定されない。例えば、クッションを腰部の下方に装着した場合は、膨張部１０２がせり上がることで腰部を保護し得る。クッションを腰部に装着した場合は、膨張部１０２がせり上がることで背中部を保護し得る。さらに、膨張部１０２は、クッション機能を発揮し得る限りは、プラスチック袋に限定されない。合成樹脂製シート材で形成した袋であり得る。また、合成ゴム製シート材で形成した袋であり得る。気密加工された化学繊維製布をベロア加工したシート材で形成した袋であり得る。
【００４０】
また、空気入出口１０８は、空気の注入及び排出が自在にできれば、逆止弁が付いていることに限定されない。また、支持部１０４及び支持部４０２は、膨張部１０２を支持できさえすればよく、厚紙に限定されない。支持部１０４及び支持部４０２は、合成樹脂板であり得る。また、接合部分１０６の形状は、湾曲形状に限定されない。矩形状であり得る。さらにまた、膨張部１０２の最先端部と支持部１０４とが接合されることに限定されない。膨張部１０２の膨張に伴い膨張部１０２がせり上がりさえすれば、接合部分１０６は、膨張部１０２の最先端部から少しずれた部分である膨張部１０２の端部と支持部１０４との接合部であり得る。
【００４１】
また、膨張部は、衣服の襟に内蔵され得る。膨張部が衣服の襟に内蔵されている場合はクッションの常時装着が可能となり、クッションの取り外しが不要である。
【産業上の利用可能性】
【００４２】
身体の一部を保護することができるクッションであり、例えば、乳幼児用の転倒時後頭部保護具や怪我人の患部を保護する保護具として利用し得る。
【符号の説明】
【００４３】
１００    クッション
１０２    膨張部
１０４    支持部
１０６    接合部
４００    クッション
４０２    支持部
４０４    切れ込み
４０５    係止部
４０６    弾性体
【図１】
2012120552.tif 000003
【図２】
2012120552.tif 000004
【図３】
2012120552.tif 000005
【図４】
2012120552.tif 000006
【図５】
2012120552.tif 000007
【図６】
2012120552.tif 000008